(57)【特許請求の範囲】
【請求項１】
ラック列の片側に冷却空気と排熱空気とを区画する閉塞空間を形成するために、各ラックの天井面と床面との間に設けられるラック通路閉塞装置であって、奥行方向に複数の固着部を備え、各ラックの天井面の両側に取付けられたガイドフレームと、これらのガイドフレームの固着部の何れかに、固定金具によって一端が支持された水平な天井パネルと、この天井パネルの他端に連結された正面パネルとからなり、地震の振動によるラックの変位に対応可能な制震部材が、その当接面を垂直として前記天井パネルと固定金具の双方に固定されていることを特徴とするラック通路閉塞装置。
【請求項２】
対向するラック列間の通路に冷却空気と排熱空気とを区画する閉塞空間を形成するために、各ラックの天井面を閉塞するラック通路閉塞装置であって、対向する各ラックの少なくとも一方には奥行方向に複数の固着部を備え、天井面の両側に取付けられたガイドフレームと、これらのガイドフレームの固着部の何れかに、固定金具によって少なくとも一端が支持された水平な天井パネルとからなり、地震の振動によるラックの変位に対応可能な制震部材が、その当接面を垂直として前記天井パネルと固定金具の双方に固定されていることを特徴とするラック通路閉塞装置。
【請求項３】
ガイドフレームは内向きの張出片を備え、固定金具はこの張出片に対応する切欠を両端部に備えたものであることを特徴とする請求項１又は２に記載のラック通路閉塞装置。
【発明の詳細な説明】
【技術分野】
【０００１】
本発明は、データセンター等において列状に配置されたラックの冷却効率を高めるために用いられるラックの通路閉塞装置に関するものである。
【背景技術】
【０００２】
データセンター等においては、サーバやその付属機器を搭載した多数のラックを列状に配置し、対向するラック列間の床面に設けられた冷気供給口からラック前面側に冷却空気を供給し、ラックの内部を通過させてラック背面側から排熱空気として排気する冷却システムが採用されている。この冷却システムにおいては、冷却効率を高めるために、互いのラック列の冷却空気を取り込む前面側を対向して配置した上、冷却空気と排熱空気とが混ざらないように、ラック列の通路間を閉塞するような区画を形成することがある。そこで、例えば特許文献１に示されるように、対向するラック列間の通路の上部に遮蔽板を架け渡すことにより、通路内の空間を閉塞し、その上方空間と区画して空気の流動を規制している。
【０００３】
このようにラック列間の通路に冷却空気と排熱空気用とを区画するような閉塞空間を形成すれば、多数のラックを効率よく冷却することができ、またこの通路を利用して保守点検作業も行い易いという利点がある。
【０００４】
ところが、実際には前述のようにラック前面側が対向して配置されるとは限らない。対向するラック列が存在しない端部のラック列の場合や、対向するラック列の長さが異なる場合、ラック列の前面側が互いに対向して配置されていない場合には、特許文献1のようにラック列間の通路に閉塞空間を形成することができない。そこで、対向するラックの有無に関わりなくラックの片側の空間を閉塞できる構造が求められているのであるが、通路の幅や床面の冷気供給口の配置に合わせた位置調整が可能でなければならない。また、冷却空気の風量に応じ、ラックの片側に形成される閉塞空間の大きさ（容量）も調整可能であることが望まれる。
【０００５】
一方で、地震等が生じた場合、比較的高さが高く、内部に重量のある機器が設置されているラックは、その上面が床面に対して大きく変位することがある。そのため、ラックの片側又は対向するラック列間の通路に閉塞空間を構成する部材は、前述の位置調整を行った後においても、このラックの変位に対応するように移動して、ラックや部材の破損を防止する構造であることが好ましい。
しかし、これらの要求を満足できるものはこれまで提案されていない。
【先行技術文献】
【特許文献】
【０００６】
【特許文献１】特許第３８３５６１５号公報
【発明の概要】
【発明が解決しようとする課題】
【０００７】
従って本発明の目的は、ラック列間の通路または対向するラック列が存在しないラック列の片側に閉塞空間を形成することができ、しかも通路幅などに対応させて位置調整が可能であり、位置調整した後においても地震等の震動によるラックの変位に対応するように移動して、ラックや閉塞部材の破損を防止することが可能な通路閉塞装置を提供することである。
【課題を解決するための手段】
【０００８】
上記の課題を解決するためになされた本発明は、ラック列の片側に冷却空気と排熱空気とを区画する閉塞空間を形成するために、各ラックの天井面と床面との間に設けられるラック通路閉塞装置であって、奥行方向に複数の固着部を備え、各ラックの天井面の両側に取付けられたガイドフレームと、これらのガイドフレームの固着部の何れかに、固定金具によって一端が支持された水平な天井パネルと、この天井パネルの他端に連結された正面パネルとからなり、地震の振動によるラックの変位に対応可能な制震部材が、その当接面を垂直として前記天井パネルと固定金具の双方に固定されていることを特徴とするものである。
【０００９】
また、上記の課題を解決するためになされた本発明は、対向するラック列間の通路に冷却空気と排熱空気とを区画する閉塞空間を形成するために、各ラックの天井面を閉塞するラック通路閉塞装置であって、対向する各ラックの少なくとも一方には奥行方向に複数の固着部を備え、天井面の両側に取付けられたガイドフレームと、これらのガイドフレームの固着部の何れかに、固定金具によって少なくとも一端が支持された水平な天井パネルとからなり、地震の振動によるラックの変位に対応可能な制震部材が、その当接面を垂直として前記天井パネルと固定金具の双方に固定されていることを特徴とするものである。
【００１０】
なお、ガイドフレームは内向きの張出片を備え、固定金具はこの張出片に対応する切欠を両端部に備えたものであることが好ましい。
【発明の効果】
【００１１】
本発明のラック通路閉塞装置は、ラックの天井面の両側に取付けられたガイドフレームと、水平な天井パネルと、この天井パネルの他端に連結された正面パネルとからなるものであり、正面パネルはラックの天井面の両側に取付けられたガイドフレームの固着部の何れかに、固定金具と制震部材とによって一端が支持されたものであるから、対向するラック列の有無や配置状況に関わらず、その片側に閉塞空間を形成することができ、しかも床面の冷気供給口の配置や通路幅に対応させて天井パネルの奥行方向の固定位置を変更可能としながら、制震部材により天井パネル及び正面パネルの制震機能を合わせ持つものである。
【００１２】
また、対向するラック列間に冷却空気と排熱空気とを区画する閉塞空間を形成するために、各ラックの天井面を閉塞するラック通路閉塞装置においては、対向する各ラックの少なくとも一方には奥行方向に複数の固着部を備え、天井面の両側に取付けられたガイドフレームと、これらのガイドフレームの固着部の何れかに、固定金具と制震部材とによって少なくとも一端が支持された水平な天井パネルからなるものであるから、通路幅などに対応させて天井パネルの奥行方向の固定位置を変更可能としながら、制震部材により天井パネルの制震機能を合わせ持つものである。
【００１３】
さらに請求項３のようにガイドフレームは内向きの張出片を備え、固定金具はこの張出片に対応する切欠を両端部に備えたものとしておけば、ガイドフレームに天井パネルを確実に保持させることができる。
【図面の簡単な説明】
【００１４】
【図１】本発明の第１の実施形態を示す斜視図である。
【図２】天井パネルの位置を変えた状態を示す斜視図である。
【図３】天井パネルの固定部を示す斜視図である。
【図４】天井パネルの固定部を示す斜視図である。
【図５】固定金具と制震部材とを示す斜視図である。
【図６】天井パネルの固定部を示す断面図である。
【図７】天井パネルと正面パネルの連結部を示す斜視図である。
【図８】天井パネルと正面パネルの連結部を示す斜視図である。
【図９】正面パネルの下端部を示す斜視図である。
【図１０】正面パネルの下端部を示す裏面斜視図である。
【図１１】本発明の第２の実施形態を示す斜視図である。
【発明を実施するための形態】
【００１５】
以下に本発明の第１の実施形態を説明する。
図１はラック１の片側に閉塞空間を形成した状態を示す斜視図である。図面では単一のラック１のみを示しているが、実際にはラック１は左右方向に密接配置されてラック列を構成し、以下に説明するラック通路閉塞装置も左右方向に密接配置されて左右方向に連続する閉塞空間を形成するものである。また２は通路の床面であり、床下から供給される冷却空気の供給口が配設されている（不図示）。
【００１６】
本発明のラック通路閉塞装置は、ラック１の天井面３の両側に取付けられたガイドフレーム４と、水平な天井パネル５と、この天井パネル５の他端に連結された正面パネル６とからなるものである。天井パネル５はポリカーボネート樹脂等の透明板をアルミニウム等の金属枠７で囲って形成されたもので、透明としたのは内部が暗くなることを防止するためである。
【００１７】
ラック１の天井面の左右両側には、奥行方向に延びるガイドフレーム４が設けられている。図３、図４に示すようにガイドフレーム４は断面がコ字状であり、上部に内向きの張出片９を備えている。この張出片９には奥行方向に一定ピッチで複数の固着部１０が形成されている。この実施形態では固着部１０は固定孔であり、その上面に図５に示す固定金具１１の固着穴１８をねじ止めすることができるようになっている。このような構造により、固定金具１１はガイドフレーム４に対する取付け位置をラック１の奥行方向で段階的に変更することができるようになっている。
なお、固定穴１０はラック１の奥行き方向に延びる一連の長孔とすれば固定金具１１の取付け位置の自由度を高めることができる。
【００１８】
固定金具１１は図５に示されるように後部垂直面１２と、逆Ｕ字状の上面１３と、前部の水平脚部１４とからなるもので、後部垂直面１２には上方に突出する２枚の制震部材１５がねじ止めされている。制震部材１５は硬質ゴム板等からなる。また後部垂直面１２の左右両端部には、水平な切欠１６が形成されている。図３、図４に示されるように、これらの切欠１６にガイドフレーム４の内向きの張出片９が嵌まり込み、固定金具１１を奥行方向にスライドさせる際のガイドとなっている。すなわち、固定金具１１の取付位置を変更する時に固定金具１１に接続された天井パネル５が左右にずれてガイドフレーム４より脱落することがない。なお、後部垂直面１２の先端に形成した支持脚部１７はラック１の天井面３に接触し、固定金具１１を安定に保持している。
【００１９】
天井パネル５の一端は、図４に示すように固定金具１１の上面１３に載せられ、制震部材１５にねじ止めされている。このように天井パネル５の一端を制震部材１５を介して固定金具１１に取り付けることにより、地震等の震動によるラック１の変位に対応して、天井パネル５及び正面パネル６とが柔軟に移動することができるようになり、ラックや閉塞部材の破損を防止することが可能な機能を備えることができる。
【００２０】
以上の構成により、天井パネル５の一端はラック１の天井面３に固定されるが、図１、図２に示すようにその固定位置をラック１の奥行方向で変更することができるので、ラック１の天井面３からの天井パネル５の突出量を通路幅などに対応して自由に設定することができる。
また、制震部材１５を備えた固定金具１１の位置を変更可能としたため、天井パネル５の奥行方向の固定位置を変更可能としながら、制震部材１５により、地震等の震動によるラック１の変位に対応して、天井パネル５及び正面パネル６が柔軟に移動することができ、ラックや閉塞部材の破損を防止することが可能な制震機能を合わせ持つものである。
【００２１】
この天井パネル５の他端には、正面パネル６が角度調整可能に連結されている。正面パネル６も天井パネル５と同様にポリカーボネート樹脂等の透明板をアルミニウム等の金属枠８で囲って形成されていて、天井パネル５の金属枠７と正面パネル６の金属枠８とはヒンジで結合され、角度を自在に調整可能な構造となっている。
図７に示すように正面パネル６の上側コーナー部には２つの長穴２４を備えた円弧状板２１が固定されている。また天井パネル５のコーナー部には、図８に示されるような三角板２２が固定されている。図８に示すようにこれらの円弧状板２１と三角板２２とを重ね合わせて２本のボルト２３により止めれば、天井パネル５に対する正面パネル６の角度を長穴の範囲で調整することができる。このように正面パネル６の角度を可変としたのは、床面２の冷却空気の供給口に対応させて正面パネル６の下端位置を変更可能とするためである。
【００２２】
図９〜図１０に示すように、この実施形態においては、正面パネル６の下端にスライド可能な閉塞部材３０が設けられている。この閉塞部材３０は硬質ゴム板からなる遮蔽部材３１と、この遮蔽部材３１を正面パネル６の下端にスライド可能に取り付けるスライド部材３２とからなる。スライド部材３２は図１０に示されるように正面パネル６の金属枠８の裏側の縦溝３３にナットをスライド自在に挿入しボルトにより固定されるもので、ボルトを緩めることにより上下方向にスライド可能である。なお、スライド部材３２の下端部にキャスター３４を取付けることができる。これにより正面パネル６の下端を通路２の床面に密着させることができるとともに、ラック通路閉塞装置の移動が容易になる。
【００２３】
このように構成された本発明のラック通路閉塞装置は、図１に示すようにラック１からの天井パネル５の突出量を大きくしたり、あるいは図２に示すようにラック１からの天井パネル５の突出量を小さくしたりして使用することができる。このため大きさの異なる天井パネル５を作成しなくても、正面パネル６の下端位置を通路の幅や床面２の冷却空気の供給口の配置に対応させて自由に設定することができる。これによりラック列の片側に閉塞空間を形成することができるので、対向するラック列が存在しない端部のラック列の場合や、ラック列の前面側が互いに対向して配置されていない場合にも、冷却空気と排熱空気とを区画するような閉塞空間を形成することができ、冷却効率を高めることが可能となる。また天井パネル５はラック１の天井面３の上方に水平に保持されているので、ラック１の扉を開閉する際の障害となることはない。
【００２４】
次に本発明の第２の実施形態を説明する。
図１１は対向するラック列間の通路に閉塞空間を形成した状態を示す斜視図である。第１の実施形態と同様に、実際にはラック１は左右方向に密接配置されてラック列を構成し、ラック通路閉塞装置も左右方向に密接配置されて左右方向に連続する閉塞空間を形成するものである。
【００２５】
本実施形態のラック通路閉塞装置は、対向するラック１の双方の天井面３の両側に取付けられたガイドフレーム４と、固定金具１１と、水平な天井パネル５とからなるものである。
ガイドフレーム４は第１の実施形態と同様に断面がコ字状であり、上部に形成した内向きの張出片９には奥行方向に一定ピッチで複数の固着部１０が形成されていて、その上面に固定金具１１の固着穴１８をねじ止めすることができるようになっている。
【００２６】
天井パネル５は、その両端が固定金具１１の上面１３に載せられ、制震部材１５にねじ止めされている。このように天井パネル５の両端を制震部材１５を介して固定金具１１に取り付けることにより、地震等の震動によるラック１の変位に対応して天井パネル５が柔軟に移動することができる。
すなわち、天井パネル５の奥行方向の固定位置をラックの通路間の幅に合わせて変更可能としながら、制震部材１５により、地震等の震動によるラック１の変位に対応して、天井パネル５が柔軟に移動することができ、ラックや閉塞部材の破損を防止することが可能な制震機能を合わせ持つものである。
【００２７】
なお、上記実施形態では天井パネル５は、その両端が固定金具１１の上面１３に載せられ、制震部材１５にねじ止めされている構造としたが、対向するラック１の一方にのみにガイドフレーム４が設けられ、固定金具１１と制震部材１５とによって天井パネル５の一端を支持し、他端は固定金具１１等の上に載せただけの構造としても良い。
【符号の説明】
【００２８】
１  ラック
２  床面
３  天井面
４  ガイドフレーム
５  天井パネル
６  正面パネル
７  金属枠
８  金属枠
９  張出片
１０  固着部
１１  固定金具
１２  後部垂直面
１３  上面
１４  水平脚部
１５  制震部材
１６  切欠
１７  支持脚部
１８  固着穴
２１  円弧状板
２２  三角板
２３  ボルト
２４  長穴
３０  閉塞部材
３１  遮蔽部材
３２  スライド部材
３３  縦溝
３４  キャスター
【図１１】
0005870355.tif 000002
【図１】
0005870355.tif 000003
【図２】
0005870355.tif 000004
【図３】
0005870355.tif 000005
【図４】
0005870355.tif 000006
【図５】
0005870355.tif 000007
【図６】
0005870355.tif 000008
【図７】
0005870355.tif 000009
【図８】
0005870355.tif 000010
【図９】
0005870355.tif 000011
【図１０】
0005870355.tif 000012